(57)【要約】【課題】装置の提供コストや製造コストを低減でき、収容ケーブル類の大小や配列に柔軟に対応して収容ケーブル類を移動端や固定端に確実にクランプすることができるケーブル類クランプ部材を提供すること。【解決手段】固定端や移動端の端部１２０に設けられクシ歯装着位置を変更自在にする被係合部１２１ａを巾方向に複数備えられるクシ歯単体装着用受け部材１２１と、上記複数の被係合部のいずれかと着脱自在に係合装着され該装着状態で取付けられたケーブル類を装置にクランプするクランプ用クシ歯単体部材１２２とを備えている。また、上記複数の被係合部１２１ａが、クランプ用クシ歯単体部材１２２の装着ピッチを細かく調節する等細間隔でクシ歯単体装着用受け部材１２１に備えられている。【選択図】図３
2006275237.tif 000002
【特許請求の範囲】
【請求項１】
機械の静止部に取付けられる固定端と該機械の移動部に取付けられる移動端とに至る屈曲自在で長尺囲繞形状の本体内に、前記静止部から前記移動部にエネルギーを供給するケーブル類を収容して保護案内するケーブル類保護案内装置のケーブル類クランプ部材において、
前記固定端や前記移動端に設けられ、クシ歯装着位置を巾方向で変更自在にする複数の被係合部を備えたクシ歯単体装着用受け部材と、
前記複数の被係合部のいずれかと着脱自在に係合装着され、該装着状態で取付けられたケーブル類を前記ケーブル類保護案内装置にクランプするクランプ用クシ歯単体部材とを備えたこと
を特徴とするケーブル類クランプ部材。
【請求項２】
前記複数の被係合部が、前記クランプ用クシ歯単体部材の装着ピッチを細かく調節する細間隔で前記クシ歯単体装着用受け部材に備えられていること
を特徴とする請求項１記載のケーブル類クランプ部材。
【請求項３】
各々の被係合部が同一の嵌合巾を有し、
前記嵌合巾に応じた共用巾を有する係合部位と、大小異なるケーブル類の径に応じたサイズ巾を有するケーブル類取付け部位とを形成された複数サイズ別の前記クランプ用クシ歯単体部材を備えていること
を特徴とする請求項１または請求項２記載のケーブル類クランプ部材。
【発明の詳細な説明】
【技術分野】
【０００１】
本発明は、例えば、産業用機械や、半導体用のチップマウンターや、車両等などの移動部と静止部とを接続する電気信号の伝達や電力の供給を行う電気ケーブルや油圧や空気圧を供給するホース等のケーブル類を収容すると共に、移動部の移動中においてもケーブル類を安全にかつ確実に案内保護するのに好適なケーブル類保護案内装置に係り、更に詳しくは、ケーブル類保護案内装置の移動端や固定端においてケーブル類を装置にクランプ（固定）するのに用いられるケーブル類クランプ部材に関する。
【背景技術】
【０００２】
従来、この種のケーブル類保護案内装置のケーブル類クランプ部材として、該装置の端部に位置する移動端や固定端等のチェーン部材に設けられる取付けユニットが知られている（例えば、特許文献１参照）。
【０００３】
一般的に、この種のケーブル類保護案内装置によってケーブル類を案内保護する場合、収容ケーブル類の両端をそれぞれ該装置にクランプしないと、例えば、産業用機械の移動部の移動に伴う装置の移動時に、該装置と収容ケーブル類の動きにズレが生じて収容ケーブル類がケーブル類収容空間内で装置と擦れ合ったり、他の収容ケーブル類と擦れ合って摺動摩耗などにより損傷する恐れがある。
この為、従来では、前述の文献に開示されたような取付けユニットのようなケーブル類クランプ部材を用いて、ケーブル類保護案内装置の端部にて収容ケーブル類を該装置にクランプすることにより、該装置の移動時に、該装置と収容ケーブル類の動きにズレが生じることを極力抑制し、収容ケーブル類の損傷を防止する対策がとられている。
【特許文献１】特表２００１−５０４１９９号公報
【発明の開示】
【発明が解決しようとする課題】
【０００４】
ところが、前述の従来技術では、ケーブル類をクランプする橋絡片が取付けユニットに予め決められた固定数で一体的に形成される形態を採っていることにより、収容するケーブル類の本数が前述の固定数より少ない利用形態では、余った橋絡片は不要であり、その面で材料費が無駄であるととともに、製造コストが嵩むという問題点がある。
【０００５】
また、従来技術では、橋絡片が粗い間隔巾を空けて取付けユニットに一体的に固定設置されている形態を採っていることにより、収容するケーブル類の大小や配列によっては、収容されるケーブル類の収容位置と固定設置の橋絡片の形成位置とがずれてしまうことがあり、これにより、ケーブル類を綺麗に配列してクランプすることができず、ケーブル類に無理な力が作用してケーブル類を損傷するという問題点がある。
【０００６】
また、従来技術では、ケーブル類保護案内装置の巾寸法が変わると、それに合う別のサイズの取付けユニットを製造する必要がある。すなわち、従来では、複数の橋絡片を一体的に形成される取付けユニットを製造するための金型を用意し、樹脂材料などにより取付けユニットを製造する形態を採っていることにより、そのような複雑な取付けユニットを製造する為の金型を複数用意する必要があり製造コストが大幅に嵩むという問題点がある。
【０００７】
また、従来技術では、太いケーブル類をクランプする場合、例えば、１本の巾狭の橋絡片に１本の太いケーブル類をナイロン（登録商標）などのバンドでクランプしたり、或いは、２本の巾狭の橋絡片に１本の太いケーブル類をバンドなどでクランプする形態を採っている。すなわち、従来では、収容ケーブル類の巾に合った橋絡片が存在しない使用形態においては、ケーブル類をケーブル類保護案内装置に確実にクランプするのが困難であり、この結果、装置の移動中に該装置とケーブル類の動きにズレが生じて収容ケーブル類がケーブル類収容空間内で装置と擦れ合ったり、他の収容ケーブル類と擦れ合ったりして摺動摩耗などにより損傷するという問題点がある。
【０００８】
そこで、本発明は、上述したような課題を解決するものであって、すなわち、本発明の目的は、装置の提供コストや製造コストを低減できるとともに、収容ケーブル類の大小や配列に柔軟に対応して収容ケーブル類を移動端や固定端に確実にクランプすることができるケーブル類クランプ部材を提供することにある。
【課題を解決するための手段】
【０００９】
本請求項１に係る発明は、機械の静止部に取付けられる固定端と該機械の移動部に取付けられる移動端とに至る屈曲自在で長尺囲繞形状の本体内に、前記静止部から前記移動部にエネルギーを供給するケーブル類を収容して保護案内するケーブル類保護案内装置のケーブル類クランプ部材において、前記固定端や前記移動端に設けられ、クシ歯装着位置を巾方向で変更自在にする複数の被係合部を備えたクシ歯単体装着用受け部材と、前記複数の被係合部のいずれかと着脱自在に係合装着され、該装着状態で取付けられたケーブル類を装置にクランプするクランプ用クシ歯単体部材とを備えたことによって、上記目的を達成するものである。
【００１０】
また、本請求項２に係る発明は、本請求項１に係る発明の構成に加えて、前記複数の被係合部が、前記クランプ用クシ歯単体部材の装着ピッチを細かく調節する細間隔で前記クシ歯単体装着用受け部材に備えられていることによって、上記目的をさらに達成するものである。
【００１１】
また、本請求項３に係る発明は、本請求項１または本請求項２に係る発明の構成に加えて、各々の被係合部が同一の嵌合巾を有し、前記嵌合巾に応じた共用巾を有する係合部位と、大小異なるケーブル類の径に応じたサイズ巾を有するケーブル類取付け部位とを形成された複数サイズ別の前記クランプ用クシ歯単体部材を備えていることによって、上記目的を達成するものである。
【発明の効果】
【００１２】
本請求項１に係る発明のケーブル類クランプ部材によれば、固定端及び移動端に設けられ、後記クランプ用クシ歯単体部材の装着位置を巾方向で変更自在にする複数の被係合部を備えたクシ歯単体装着用受け部材と、前記複数の被係合部のいずれかと着脱自在に係合装着され、該装着状態で取付けられたケーブル類を装置にクランプするクランプ用クシ歯単体部材とを備えている。
このような構成によると、クランプ用クシ歯単体部材とクシ歯単体装着用受け部材とが別体構造となり複雑な金型を複数用意する必要が無く製造コストを低減することができる。また、別体構造により、収容ケーブル類の本数に合わせてクシ歯単体部材を必要数だけ用意する形態を採れ、部品の無駄を無くして顧客に対する提供コストを削減することができる。
【００１３】
また、本請求項２に係る発明は、本請求項１に係る発明の構成に加えて、前記複数の被係合部が、前記クランプ用クシ歯単体部材の装着ピッチを細かく調節する細間隔で前記クシ歯単体装着用受け部材に備えられていることにより、本請求項１に係る発明が奏する効果に加えて、以下のような効果を奏する。
すなわち、クシ歯単体装着用受け部材を装着する被係合部の装着ピッチが細間隔で形成されていることで、クランプ用クシ歯単体部材を収容ケーブル類の配置に応じた任意の被係合部に装着することが可能であり、収容ケーブル類の配列に柔軟に対応して収容ケーブル類を確実に装置にクランプすることができ、装置の移動中にケーブル類に無理な力が作用するのを回避してケーブル類の損傷を防ぐことができる。
【００１４】
また、本請求項３に係る発明は、本請求項１に係る発明または本請求項２に係る発明の構成に加えて、各々の被係合部が同一の嵌合巾を有し、前記嵌合巾に応じた共用巾を有する係合部位と、大小異なるケーブル類の径に応じたサイズ巾を有するケーブル類取付け部位とを形成された複数サイズ別の前記クランプ用クシ歯単体部材を備えていることにより、本請求項１または本請求項２に係る発明が奏する効果に加えて、以下のような効果を奏する。
すなわち、クランプ用クシ歯単体部材のケーブル類を取付けるケーブル類取付け部位の巾はケーブル類の径の大小に合わせて複数サイズのものを用意しているものの、クシ歯単体装着用受け部材の被係合部と嵌合する係合部位の巾を全被係合部で共通に利用できる共用巾としていることにより、どの被係合部に対してもサイズの異なるクランプ用クシ歯単体部材を任意に装着可能であり、収容するケーブル類の大小や配列に柔軟に対応して収容ケーブル類を確実に装置端部にクランプすることができ、装置移動時に該装置と収容ケーブル類の動きにズレが生じることを抑制して収容ケーブル類の損傷を防止することができる。
【発明を実施するための最良の形態】
【００１５】
本発明は、機械の静止部に取付けられる固定端と該機械の移動部に取付けられる移動端とに至る屈曲自在で長尺囲繞形状の本体内に、前記静止部から前記移動部にエネルギーを供給するケーブル類を収容して保護案内するケーブル類保護案内装置のケーブル類クランプ部材において、前記固定端や前記移動端に設けられ、クシ歯装着位置を巾方向で変更自在にする複数の被係合部を備えたクシ歯単体装着用受け部材と、前記複数の被係合部のいずれかと着脱自在に係合装着され、該装着状態で取付けられたケーブル類を装置にクランプするクランプ用クシ歯単体部材とを備えたことにより、クランプ用クシ歯単体部材とクシ歯単体装着用受け部材とが別体構造となり複雑な金型を用意する必要が無く製造コストを低減することができ、また、別体構造により、収容ケーブル類の本数に合わせてクシ歯単体部材を必要数だけ用意する形態を採れ、顧客に対する提供コストを削減することができるものであれば、その具体的態様は如何なるものであっても良い。
【００１６】
なお、本発明でいうケーブル類保護案内装置とは、例えば、産業用機械や、半導体用のチップマウンターや、車両等などの移動部と静止部とを接続する電気信号の伝達や電力の供給を行う電気ケーブルや油圧や空気圧を供給するホース等のケーブル類を収容すると共に、移動部の移動中においてもケーブル類を安全にかつ確実に案内保護するのに好適なケーブル類保護案内装置のことである。
具体的には、本体の構造としては、例えば、後述するように、左右一対のリンクプレートと、それら両リンクプレートを屈曲内周側で連結する屈曲内周側連結板と屈曲外周側で連結する屈曲外周側連結板とで構成される矩形状のリンク枠体を連結ピン等で長尺状に多数連結したものでも良いし、その他、中枠と上枠と下枠からなる箱体を連結ピン等で長尺状に多数連結したものでも良いし、また、その他、屈曲自在で一体的に形成された長尺状の囲繞体でも良い。
【実施例１】
【００１７】
本発明に係るケーブル類クランプ部材の実施例１について図１乃至図３を用いて説明する。図１は、本発明に係るケーブル類クランプ部材が適用されるケーブル類保護案内装置１００の斜視図である。図１に示すように、本発明に係るケーブル類保護案内装置１００は、例えば、産業用機械（例えば、半導体用チップマウンターや工作機械など）の移動部に該機械の静止部から電力や圧縮空気等のエネルギーを供給するケーブルやホース等のケーブル類Ｃ（Ｃ１，Ｃ２）を保護案内するために使用されるもので、例えば、矩形状のリンク枠体１１０が長尺状に多数連結され、図示はされていないが産業用機械の移動部と静止部との間の移動状況に応じて直線状態、あるいは屈曲状態を呈することができ、これらのリンク枠体１１０が連続して形成されたケーブル類収容空間ＲＯ内にケーブル類Ｃ（Ｃ１，Ｃ２）を挿通した状態で保護案内できるようになっている。
前述したリンク枠体１１０は、例えば、優れた強度特性を発揮できるガラス繊維強化ポリアミド系樹脂によって成形され、離間配置された左右一対のリンクプレート１１１、１１１と、該リンクプレート１１１、１１１の屈曲内周側に横架された屈曲内周側連結板１１２と屈曲外周側に横架された屈曲外周側連結板１１３とが矩形状に一体化されている。
そして、屈曲内周側連結板１１２は、左右一対のリンクプレート１１１、１１１と射出成形加工によって一体化されているが、屈曲外周側連結板１１３は、一端が片方のリンクプレート１１１に回動可能に連結され、他端がもう片方のリンクプレート１１１に係合可能に開閉できるようになっている。
そして、リンクプレート１１１のプレート前方とプレート後方とは、プレート厚み方向に段差を形成した、いわゆる、オフセット構造を呈しており、さらに、リンクプレート１１１のプレート後方には、連結ピン１１４が設けられているとともに、プレート前方には、連結ピン１１４と略同一径の連結ピン孔１１５が設けられている。
したがって、リンク枠体１１０同士は、相互に連続して配置されるリンクプレート１１１、１１１の連結ピン１１４と連結ピン孔１１５とを嵌め込むことで連結され、連結ピン１１４を中心に規定の角度範囲内で屈曲することができるようになっている。
【００１８】
また、図２に示すように、本実施例では、ケーブル類保護案内装置１００の端部に設置される棚受け形状の移動端（ブラケットともいう）１２０や、この移動端と同構成の図示はされていないが固定端に、クランプ用クシ歯単体部材１２２（１２２Ａ，１２２Ｂ）（以下、単に「クシ歯」という。）の装着位置を巾方向で変更自在にする複数の被係合部１２１ａを備えたクシ歯単体装着用受け部材１２１（以下、単に「受け部材」という。）と、上記複数の被係合部１２１ａのいずれかと着脱自在に係合装着され、該装着状態で取付けられたケーブル類Ｃ（Ｃ１，Ｃ２）を装置１００にクランプする略棒状のクシ歯１２２（１２２Ａ，１２２Ｂ）とを設けている。なお、ここでいう巾方向とは、左右一対のリンクプレートを結ぶ左右方向のことである。
また、前述の複数の被係合部１２１ａは、クシ歯１２２（１２２Ａ，１２２Ｂ）の装着ピッチを細かく調節する為に等しい細間隔（Ｈ）で受け部材１２１に備えられている。
【００１９】
受け部材１２１は、前述の被係合部１２１ａとして、ケーブル類保護案内装置１００の長手方向に延びる複数の壁間で形成される凹形状を有している。そして、受け部材１２１は、クシ歯１２２（１２２Ａ，１２２Ｂ）に取付けられたケーブル類Ｃの動きに伴って該クシ歯１２２が受け部材１２１から装置１００の長手方向に抜け落ちるのを阻止する為の嵌合溝部１２１ｂを形成している。
そして、クシ歯１２２（１２２Ａ，１２２Ｂ）は、前述の被係合部１２１ａと係合する係合部位１２２ａに、前述の嵌合溝部１２１ｂと嵌合する嵌合突起部１２２ｃを形成している。また、このクシ歯１２２（１２２Ａ，１２２Ｂ）は、装置にクランプするケーブル類Ｃを取付けられるケーブル類取付け部位１２２ｂに、例えば、ナイロン（登録商標）で構成されたバンドＮＢの横ズレを防止する為のバンド固定用溝１２２ｄが形成されているとともに、装置にクランプするケーブル類Ｃの外周形状に合ったケーブル類受け曲面１２２ｅを有している。
なお、この実施例１の構成によると、受け部材１２１の凹形状の被係合部１２１ａ及び嵌合溝部１２１ｂにクシ歯１２２の係合部位１２２ａを嵌合するだけなのでクシ歯１２２の着脱が容易である。
【００２０】
ところで、本実施例１では、受け部材１２１の各凹形状の被係合部１２１ａが同一の嵌合巾（Ｈ）を有している。そして、その凹形状の被係合部１２１ａに係合するクシ歯１２２の係合部位１２２ａの巾が前述の嵌合巾（Ｈ）に応じた共用巾（Ｈ１）を有するとともに、ケーブル類Ｃを取付けるケーブル類取付け部位１２２ｂの巾すなわちケーブル類受け曲面１２２ｅの巾が大小異なるケーブル類Ｃの径に応じたサイズ巾（Ｈ２やＨ３）を有する複数サイズ別のクシ歯１２２Ａ及びクシ歯１２２Ｂを備えている。なお、Ｈ，Ｈ１，Ｈ２，Ｈ３との間には、凹形状の被係合部１２１ａと係合部位１２２ａとが弾性力によって嵌合するために必要な条件、すなわち、Ｈ＝Ｈ１或いはＨ≒Ｈ１であって、Ｈ≦Ｈ１≦Ｈ２＜Ｈ３の関係がある。
また、この実施例では、クシ歯１２２が受け部材１２１と嵌合した場合、該クシ歯１２２に形成される係合部位１２２ａの長手方向端部面１２２ｆが受け部材１２１の嵌合壁面１２１ｃに当接するようにしている。
【００２１】
次に、前述した構成の実施例１のケーブル類クランプ部材（受け部材１２１とクシ歯１２２）の実際の装着使用形態について説明する。
【００２２】
図１に示すように、例えば、ケーブル類保護案内装置１００のケーブル類収容空間ＲＯ内に、径の小さいケーブル類Ｃ１と径の大きいケーブル類Ｃ２の計２本のケーブル類が挿通されるようなケースでは、まず、ケーブル類収容空間ＲＯ内に収容されているケーブル類Ｃ１に最も近い位置関係にある受け部材１２１の被係合部１２１ａに対して、該ケーブル類Ｃ１の径巾に合った巾の狭いケーブル類取付け部位１２２ｂを有するクシ歯１２２Ｂを係合装着する（図３参照）。また、このケースでは、ケーブル類収容空間ＲＯ内に収容されているケーブル類Ｃ２に最も近い位置関係にある受け部材１２１の被係合部１２１ａに対して、該ケーブル類Ｃ２の径巾に合った巾の広いケーブル類取付け部位１２２ｂを有するクシ歯１２２Ａを係合装着する（図３参照）。
なお、具体的に、クシ歯１２２（１２２Ａ，１２２Ｂ）の装着方法としては、クシ歯１２２の嵌合突起部１２２ｃを、受け部材１２１の所望の被係合部１２１ａの奥に位置する嵌合溝部１２１ｂの上方付近に配置させ、上方からクシ歯１２２を受け部材１２１に向けて下げて嵌合突起部１２２ｃと嵌合溝部１２１ｂを嵌合させるとともに、係合部位１２２ａの所定領域を所望の被係合部１２１ａに嵌合させる。
【００２３】
次いで、受け部材１２１に係合装着したクシ歯１２２Ａとクシ歯１２２Ｂのそれぞれのケーブル類受け曲面１２２ｅ，１２２ｅに対して、ケーブル類Ｃ２とケーブル類Ｃ１をそれぞれ当接し、該当接状態でケーブル類Ｃ２とケーブル類Ｃ１をバンドＮＢによりクシ歯１２２Ａ，クシ歯１２２Ｂにそれぞれ固定する。
なお、バンドＮＢは、クシ歯１２２（１２２Ａ，１２２Ｂ）に形成されたバンド固定用溝１２２ｄにはまるようにして使用する。また、この実施例では、１つのクシ歯１２２に対して２本のバンドＮＢを使用してケーブル類Ｃをケーブル類保護案内装置１００にクランプする形態を採っている。
【実施例２】
【００２４】
本発明に係るケーブル類クランプ部材の実施例２について図４乃至図６を用いて説明する。なお、この実施例２では、棚受け形状の移動端（ブラケットともいう）２２０及びこの移動端と同構成の図示はされていないが固定端の部分が特徴であり、その他の本体部分（複数のリンク枠体が連結された部分）は前述の実施例１と同様の構成を有するので符号を２００番台に換えているだけで、詳述は省略する。
【００２５】
すなわち、実施例１では、移動端１２０の受け部材１２１に形成された凹形状の被係合部１２１ａに、クシ歯１２２を係合装着するケーブル類クランプ部材の構造であるのに対し、この実施例２におけるケーブル類クランプ部材の構造は、移動端２２０に、実施例１の凹形状の被係合部１２１に替えて円柱突起形状の被係合部２２１ａを形成した受け部材２２１を設け、さらに、略棒状のクシ歯２２２の係合部位に、実施例１の嵌合突起部１２２ｃに替えて、前述の円柱形状の被係合部２２１ａに嵌合する嵌合用孔２２２ｃを穿設し、受け部材２２１に形成した円柱形状の被係合部２２１ａに、クシ歯２２２を係合装着する形態を採っている。
なお、この実施例２の構成においても、受け部材２２１の円柱突起形状の被係合部２２１ａに対してクシ歯２２２の係合部位２２２ａの嵌合用孔２２２ｃを嵌合するだけなのでクシ歯２２２の着脱が容易である。
【００２６】
ところで、この実施例２では、受け部材２２１の各円柱突起形状の被係合部２２１ａが同一の嵌合径巾（Ｒ）を有するとともに、クシ歯２２２の装着ピッチを細かく調節する為に巾方向に等細間隔で設けられている。そして、その被係合部２２１ａに係合する係合部位２２２ａが前述の嵌合径巾（Ｒ）に応じた共用孔径巾（Ｒ１）を有するとともに、ケーブル類Ｃを取付けるケーブル類取付け部位２２２ｂの巾が大小異なるケーブル類Ｃの径に応じたサイズ巾（Ｈ２やＨ３）を有する複数サイズ別のクシ歯（例えば、２２２Ａや２２２Ｂ）を備えている。なお、Ｒ，Ｒ１，Ｈ２，Ｈ３との間には、円柱突起形状の被係合部２２１ａと係合部位２２２ａの嵌合用孔２２２ｃとが弾性力によって嵌合するために必要な条件、すなわち、Ｒ＝Ｒ１或いはＲ≒Ｒ１であって、Ｈ１≦Ｈ２＜Ｈ３の関係がある。
また、この実施例２に示すクシ歯２２２は、前述の実施例１に示したクシ歯１２２と同様に、バンドＮＢを固定するためのバンド固定用溝２２２ｄと、ケーブル類の外周形状に合わせたケーブル類受け曲面２２２ｅとを形成している。
また、図４乃至図６の例では、等間隔配置の円柱突起形状の被係合部２２１ａの群を２列形成しており、これに対応してクシ歯２２２の係合部位２２２ａに、２列の被係合部群の装置長手方向に配置される２つの円柱突起形状の被係合部２２１ａ，２２１ａと嵌合する為の２つの嵌合用孔２２２ｃを穿設している。
さらに、この実施例では、前述の２列の被係合部群を形成している面より高い位置にある嵌合面を有する嵌合段差部２２１ｂを受け部材２２１に形成していると共に、この嵌合段差部２２１ｂの形状に対応して該嵌合段差部２２１ｂを挟み込むようにして嵌合する嵌合用溝２２２ｇをクシ歯２２２の係合部位２２２ａに形成している。これにより、受け部材２２１とクシ歯２２２との嵌合力が増し、装置移動時に、クランプした収容ケーブル類Ｃに作用する応力によってクシ歯２２２が上方向に簡単に外れてしまうことを防止することができる。
また、さらに、この実施例では、クシ歯２２２が受け部材２２１と嵌合した場合、該クシ歯２２２に形成されている係合部位２２２ａの長手方向端部面２２２ｆが受け部材２２１の嵌合壁面２２１ｃに当接するようにしている。
なお、図の例では、受け部材２２１に２列の被係合部群を形成し、クシ歯２２２に２つの嵌合用孔２２２ｃを形成した場合を示したが、本発明は２つに限定されず、１つでも、２つ以上であっても良い。
【００２７】
次に、この実施例２のケーブル類クランプ部材（受け部材２２１とクシ歯２２２）の実際の装着使用形態について説明する。
【００２８】
図６に示すように、例えば、ケーブル類保護案内装置２００のケーブル類収容空間内に、径の小さいケーブル類Ｃ１と径の大きいケーブル類Ｃ２の計２本のケーブル類が挿通されるようなケースでは、まず、ケーブル類収容空間内に収容されているケーブル類Ｃ１と最も近い位置関係にある受け部材２２１の円柱突起形状の被係合部２２１ａに対して、該ケーブル類Ｃ１の径巾に合った巾の狭いケーブル類取付け部位２２２ｂを有するクシ歯２２２Ｂを係合装着する。また、このケースでは、ケーブル類収容空間内に収容されているケーブル類Ｃ２と最も近い位置関係にある受け部材２２１の円柱形状の被係合部２２１ａに対して、該ケーブル類Ｃ２の径巾に合った巾の広いケーブル類取付け部位２２２ｂを有するクシ歯２２２Ａを係合装着する。
なお、具体的に、クシ歯２２２（２２２Ａ，２２２Ｂ）の装着方法としては、係合部位２２２ａの嵌合用孔２２２ｃを受け部材２２１の所望の円柱形状の被係合部２２１ａの上方に配置させ、上方からクシ歯２２２を受け部材２２１に向けて下げ係合部位２２２ａの嵌合用孔２２２ｃと所望の円柱形状の被係合部２２１ａとを嵌合させる。
【００２９】
次いで、受け部材２２１に係合装着したクシ歯２２２Ａとクシ歯２２２Ｂのそれぞれのケーブル類受け曲面２２２ｅ，２２２ｅに対して、それぞれケーブル類Ｃ２とケーブル類Ｃ１を当接し、該当接状態でケーブル類Ｃ２とケーブル類Ｃ１とをバンドＮＢによりクシ歯２２２Ａとクシ歯２２２Ｂにそれぞれ固定する。
なお、バンドＮＢは、クシ歯２２２に形成されたバンド固定用溝２２２ｄにはまるようにして使用する。また、この実施例２においても前述の実施例１と同様に、１つのクシ歯２２２に対して２本のバンドＮＢを使用してケーブル類Ｃをケーブル類保護案内装置２００に固定する形態を採っている。
【００３０】
なお、前述した実施例１及び実施例２に示したクシ歯（１２２，２２２）は、移動端（１２０，２２０）若しくは、固定端（図示はされていない）の受け部材（１２１，２２１）に係合装着された状態で、ケーブル類取り付け部位（１２２ｂ，２２２ｂ）に形成されたケーブル類受け曲面（１２２ｅ，２２２ｅ）が移動端（１２０，２２０）のケーブル類収容空間ＲＯ側の内壁と略同位置レベルとしている。さらに、具体的には、前述の内壁に対して、ケーブル類受け曲面（１２２ｅ，２２２ｅ）の円弧中央部が同位置レベルとなるように形成している。これにより、組付け段差への当接によるケーブル類の損傷を未然に防止することができる。
【実施例３】
【００３１】
本発明に係るケーブル類クランプ部材の実施例３について図７を用いて説明する。なお、この実施例３では、前述の実施例１で示した受け部材１２１と同様の構成を有する受け部材３２１（３２１Ａと３２１Ｂ）をケーブル類保護案内装置の屈曲外周側と屈曲内周側との上下２段に備えているとともに、それら上下２つの受け部材３２１（３２１Ａと３２１Ｂ）それぞれに前述の実施例１で示したクシ歯１２２と同様の構成のクシ歯単体部材３２２（３２２Ａと３２２Ｂ，３２２Ｃと３２２Ｄ）をそれぞれ備えているクランプ部材２段構造の矩形状移動端３２０としている。その他の構成については、実施例１と同様であるため詳述は割愛する。
【実施例４】
【００３２】
本発明に係るケーブル類クランプ部材の実施例４について図８を用いて説明する。なお、この実施例４では、前述の実施例２で示した受け部材２２１と同様の構成を有する受け部材４２１（４２１Ａと４２１Ｂ）をケーブル類保護案内装置の屈曲外周側と屈曲内周側との上下２段に備えているとともに、それら上下２つのクシ歯単体部材装着用受け部材４２１（４２１Ａと４２１Ｂ）それぞれに前述の実施例２で示したクシ歯２２２と同様の構成のクシ歯単体部材４２２（４２２Ａと４２２Ｂ、４２２Ｃと４２２Ｄ）をそれぞれ備えているクランプ部材２段構造の矩形状移動端４２０としている。
【００３３】
前述の実施例３及び実施例４の構成によると、例えば、仕切り棚板部材などによってケーブル類をケーブル類収容空間ＲＯ内で屈曲外周側と屈曲内周側の上下２段に区分けして収容する形態に適用した場合、それら上下２段のケーブル類をそれぞれ屈曲外周側と屈曲内周側とに分けて移動端や固定端の端部で装置に確実にクランプすることができるので、装置移動時に、該装置と上下２段の収容ケーブル類の動きにズレが生じることを抑制でき、収容ケーブル類の損傷を防止することができる。
【００３４】
なお、前述の各実施例に示した受け部材及びクシ歯からなるケーブル類クランプ部材の具体的な製造方法としては、それぞれ専用の金型を用意する。
すなわち、受け部材を備えた移動端や固定端を製造するための金型と、サイズ別ごとのクシ歯を製造するための金型とを用意する。そして、それら金型を用いて、例えば、ガラス繊維強化ポリアミド系樹脂材などにより受け部材が備わる移動端（或いは、固定端）と、サイズ別のクシ歯を製造する。
このような本発明の製造方法によると、受け部材を備えた移動端や固定端を製造する金型がシンプルなものとなるため、例えば、前述の背景技術で示した取付けユニットのようなものが一体的に形成される移動端や固定端を製造するために、複雑な金型を複数用意する従来技術の製造方法に比べ、ケーブル類クランプ部材を製造する製造コストを低く抑えることができる。
特に、サイズ別のクシ歯を、例えば、大小２つのみ用意する形態では、クシ歯を製造する金型が少なくなることにより、より製造コストを低く抑えることが可能となる。
【００３５】
また、前述の各実施例では、受け部材がケーブル類保護案内装置の移動端或いは図示省略の固定端に一体的に形成されている場合を例にして示しているが、本発明は、これに限定されず、移動端或いは固定端に、別体の受け部材が結合できる形態に適用しても良い。なお、その場合、移動端や固定端の端部側と、受け部材側との両者に、それぞれが相互に結合するための結合手段（例えば、嵌合突起部と嵌合孔部等）が形成される。
そして、そのように受け部材が移動端や固定端と別体構成の形態では、前述の受け部材が移動端や固定端に一体的に形成される形態より、さらに簡単な金型を用意してケーブル類クランプ部材を製造することができるので、前述した製造コストより更にコスト低減することができる。
ところで、前述の各実施例に示した移動端１２０，２２０，３２０，４２０や図示省略の固定端は、図示省略している産業用機械の移動部や静止部のそれぞれに取付け孔１２１ｄ，２２１ｄ，３２１ｄ，４２１ｄを介してボルトとナット等の機械部品によって取付けられる。
【００３６】
最後に、前述した構成によるケーブル類クランプ部材によれば、固定端及び移動端に設けられ、クシ歯装着位置を巾方向で変更自在にする複数の被係合部を備えた受け部材と、前記複数の被係合部のいずれかと着脱自在に係合装着され、該装着状態で取付けられたケーブル類を装置にクランプするクシ歯とを備えたことにより、クシ歯と受け部材とが別体構造となり複雑な金型を複数用意する必要が無く製造コストを低減することができる。また、別体構造により、収容ケーブル類の本数に合わせてクシ歯を必要数だけ用意する形態を採れ、部品の無駄を無くして顧客に対する提供コストを削減することができる。
【００３７】
また、前述の構成に加えて、前記複数の被係合部が、前記クシ歯の装着ピッチを細かく調節する細間隔で前記受け部材に備えられていることにより、前述の効果に加えて、受け部材を装着する被係合部の装着ピッチが細間隔で形成されていることで、クシ歯を収容ケーブル類の配置に応じた任意の被係合部に装着することが可能であり、収容ケーブル類の配列に柔軟に対応して収容ケーブル類を確実に装置にクランプすることができ、装置の移動中にケーブル類に無理な力が作用するのを回避してケーブル類の損傷を防ぐことができる。
【００３８】
また、前述の構成に加えて、各々の被係合部が同一の嵌合巾を有し、前記嵌合巾に応じた共用巾を有する係合部位と、大小異なるケーブル類の径に応じたサイズ巾を有するケーブル類取付け部位とを形成された複数サイズ別の前記クランプ用クシ歯単体部材を備えていることにより、前述の効果に加えて、クシ歯のケーブル類を取付けるケーブル類取付け部位の巾はケーブル類の径の大小に合わせて複数サイズのものを用意しているものの、受け部材の被係合部と嵌合する係合部位の巾を全被係合部で共通に利用できる共用巾としていることにより、どの被係合部に対してもサイズの異なるクシ歯を任意に装着可能であり、収容するケーブル類の大小や配列に柔軟に対応して収容ケーブル類を確実に装置端部にクランプすることができ、装置移動時に該装置と収容ケーブル類の動きにズレが生じることを抑制して収容ケーブル類の損傷を防止することができる。
【００３９】
さらに、前述の構成に加えて、クシ歯が、当該クシ歯に収容ケーブル類をクランプするクランプ手段（バンドなど）の長手方向へのずれを阻止するバンド固定用溝を形成されていることにより、装置移動時に、クランプされている収容ケーブル類に働く応力によってクランプ手段（バンド）が長手方向にずれてしまうという事を防ぐことができるので、装置移動時に該装置と収容ケーブル類の動きにズレが生じることを抑制できる。
また、さらに、前述の構成に加えて、クシ歯が、収容ケーブル類の外周形状に合わせたケーブル類受け曲面を形成されていることにより、クランプする収容ケーブル類とクシ歯とを密接させることができ、クランプ手段（バンド）を用いて確実に収容ケーブル類をクランプすることができる。
【図面の簡単な説明】
【００４０】
【図１】本発明に係るケーブル類クランプ部材が適用されるケーブル類保護案内装置の全体斜視図。
【図２】図１に示したケーブル類クランプ部材の組付け前の様子を示す拡大斜視図。
【図３】図１に示したケーブル類クランプ部材の組付け完了状態を示す拡大斜視図。
【図４】図１乃至図３に示すケーブル類クランプ部材の変形例を示す図。
【図５】図４に示したケーブル類クランプ部材の組付け前の様子を示す拡大斜視図。
【図６】図４に示したケーブル類クランプ部材の組付け完了状態を示す拡大斜視図。
【図７】ケーブル類クランプ部材の他の変形例を示す図。
【図８】ケーブル類クランプ部材の他の変形例を示す図。
【符号の説明】
【００４１】
１００、２００  ・・・  ケーブル類保護案内装置
１１０、２１０  ・・・  リンク枠体
１１１、２１１  ・・・  リンクプレート
１１２、２１２  ・・・  屈曲内周側連結板
１１３、２１３  ・・・  屈曲外周側連結板
１１４、２１４  ・・・  連結ピン
１１５、２１５  ・・・  連結ピン孔
１２０，２２０，３２０，４２０  ・・・  移動端
１２１，２２１，３２１，４２１  ・・・  クシ歯単体装着用受け部材
１２１ａ，３２１ａ  ・・・  凹形状の被係合部
１２１ｂ，３２１ｂ  ・・・  嵌合溝部
１２１ｃ，２２１ｃ，３２１ｃ，４２１ｃ  ・・・  嵌合壁面
１２１ｄ，２２１ｄ，３２１ｄ，４２１ｄ  ・・・  取付け孔
１２２，２２２，３２２，４２２  ・・・  クランプ用クシ歯単体部材
１２２ａ，２２２ａ  ・・・  係合部位
１２２ｂ，２２２ｂ  ・・・  ケーブル類取付け部位
１２２ｃ  ・・・  嵌合突起部
１２２ｄ，２２２ｄ  ・・・  バンド固定用溝
１２２ｅ，２２２ｅ  ・・・  ケーブル類受け曲面
１２２ｆ，２２２ｆ  ・・・  長手方向端部面
２２２ｇ  ・・・  嵌合用溝
２２１ａ，４２１ａ  ・・・  円柱形状の被係合部
２２２ｃ  ・・・  嵌合用孔
Ｃ１，Ｃ２  ・・・  ケーブル類
ＲＯ  ・・・  ケーブル収容空間
ＮＢ  ・・・  バンド
【図１】
2006275237.tif 000003
【図２】
2006275237.tif 000004
【図３】
2006275237.tif 000005
【図４】
2006275237.tif 000006
【図５】
2006275237.tif 000007
【図６】
2006275237.tif 000008
【図７】
2006275237.tif 000009
【図８】
2006275237.tif 000010